(57)【要約】【課題】携帯型の装置を首からストラップで吊り下げて使用すると、ストラップが捻じれて正しい姿勢が保てない。【解決手段】携帯型の機器のストラップ取付け部分に、ストラップの位置を規制するための凹部を設ける。【選択図】  図５
2013036410.tif 000002
【特許請求の範囲】
【請求項１】
ストラップ取付け部を有し、ネックストラップを前記ストラップ取付部に接続して携帯できるようになした携帯型装置において、
前記ストラップ取付部に、前記ネックストラップの取り付け位置が規制されるように規制部を設けることを特徴とする携帯型装置。
【請求項２】
前記規制部は、前記ストラップ取付部に設けた凹部であることを特徴とする携帯型装置。
【請求項３】
前記規制部は、前記ストラップ取付部に設けた凸部であることを特徴とする携帯型装置。
【請求項４】
前記携帯型装置は、送風機を搭載する携帯型送風装置であることを特徴とする請求項１から３のいずれかに記載の携帯型装置。
【請求項５】
前記携帯型装置は、さらにイオン発生装置を搭載し、前記イオン発生装置は空気中で放電してイオンを発生させ、前記送風機によって発生したイオンを送出するようになしてあることを特徴とする請求項４に記載の携帯型装置。
【発明の詳細な説明】
【技術分野】
【０００１】
本発明は、携帯可能な筐体内に送風ファンを備えた携帯型送風装置に関する。
【背景技術】
【０００２】
従来の携帯型送風装置は特許文献１に開示されている。この携帯型送風装置は携帯可能な薄箱状の筐体の背面に吸込口を開口し、前面に吹出口を開口する。筐体内には吸込口と吹出口とを連結する空気通路が設けられ、空気通路内に軸流ファンから成る送風ファンが配される。また、筐体の側面には回動自在のスタンドが設けられる。スタンドを回動して卓上の設置面に当接させると、スタンドの支持によって筐体を卓上に立設することができる。
【０００３】
スタンドにより筐体を卓上の設置面に立設した状態で送風ファンを駆動すると、吸込口から外気が空気通路内に流入する。この時、筐体の背面が設置面に対向して傾斜して配され、前面の吹出口から使用者の頭部等に向けて斜め上方に空気流が送出される。これにより、屋外や屋内で手軽に涼しさを得ることができる。
【先行技術文献】
【特許文献】
【０００４】
【特許文献１】特開２００８−５７５１９号公報（第１頁−第３頁、第１図）
【発明の概要】
【発明が解決しようとする課題】
【０００５】
しかしながら、上記従来の携帯型送風装置を首からストラップで吊るして携行しようとすると、ストラップが当該装置の重みで強く締まり、一本の紐状になってします。そのため携帯型送風装置は、姿勢を規制できずに表面（表側）と裏面（表側と反対側）が始終入れ替わり、送風方向が本来希望する方向に定まらないという問題があった。
【０００６】
本発明は、従来と同様にストラップを使用して首から当該装置を吊るした場合でも、送風機の送風方向を定めることが出来る携帯型送風装置を提供することを目的とする。
【課題を解決するための手段】
【０００７】
上記目的を達成するために本発明は、携帯型送風装置にストラップを取り付ける取付部にストラップの取り付け位置を指定する凹部を設けることを特徴としている。
【発明の効果】
【０００８】
本発明によれば、ストラップ取付け部にストラップの位置を規制する凹部を設けたので、ストラップの取付位置が特定される。
【０００９】
本発明によれば、ストラップの位置が特定されることによって、携帯型送風装置の向きが特定され、携帯型送風装置の送風方向が好ましい方向に定めることができる。
【００１０】
以上のように、本発明によれば、特別な機構を設けることなく携帯型送風装置を正しい使用姿勢に保つことが出来、性能を発揮させることが出来る。
【図面の簡単な説明】
【００１１】
【図１】本発明に関わる携帯型送風装置の正面から見た外観斜視図。
【図２】本発明に関わる携帯型送風装置の背面から見た外観斜視図。
【図３】本発明に関わる携帯型送風装置の左側面から見た断面図。
【図４】本発明に関わる携帯型送風装置のストラップ取付け部の拡大図。
【図５】本発明に関わる携帯型送風装置にストラップを取付ける手順を説明するためのもので（ａ）はストラップの取付け途中、（ｂ）は取付けた状態をそれぞれ示す拡大図。
【図６】ネックストラップの形状の一例を示す模式図。
【図７】本発明に関わる携帯型送風装置にストラップを取付けた状態を示す図。
【図８】本発明の第２の実施形態に関わる携帯型送風装置のストラップ取付け部の拡大図。
【図９】本発明の第２の実施形態に関わる携帯型送風装置にストラップを取付けた状態を示す図。
【図１０】従来のストラップ取付け部にストラップを取付けた状態を示す拡大図。
【図１１】従来のストラップ取付け部にストラップを取付けた状態を示す図。
【発明を実施するための形態】
【００１２】
（第１の実施形態）
図１に本発明に関わる携帯型送風装置の外観図を示す。
【００１３】
以下に本発明の第１の実施形態について図面を参照して説明する。図１は第１の実施形態における携帯型送風装置の外観を示す斜視図である。携帯型送風装置１は携帯可能な大きさに形成された正面視略矩形の薄箱状の筐体２を備えている。筐体２の厚み方向に対して直交する前面２ａには表示部４が設けられる。表示部４は液晶表示パネル、またはＬＥＤ、その両方による表示等が可能に形成され、携帯型送風装置１の動作状態等を表示する。
【００１４】
前面２ａに対向する背面２ｂ（吸気面）は筐体２の厚み方向に対して直交し、回動自在の蓋部３（図２参照）により覆われる。前面２ａ及び背面２ｂに隣接して筐体２の周面を形成する上面２ｄには、吹出口７が開口し、一方の側面２ｃには電源スイッチ５が設けられる。吹出口７は背面２ｂの方向に偏って形成され、格子状のグリル７ａ（図２参照）が設けられる。
【００１５】
図２は図１に示した携帯型送風装置１を背面から見た斜視図であり、蓋部３を開いた状態を示している。蓋部３は吹出口７から離れた下端部で筐体２に枢支され、筐体２の背面２ｂにはマトリクス状に配された複数の小孔から成る開口部２４が形成されている。開口部２４の全体が図３等で示した送風ファン１７の吸気口（不図示）に面し、外気の吸込口６を形成する。
【００１６】
蓋部３を開くと吸込口６が露出し、蓋部３を閉じると吸込口６が覆われる。また、蓋部３を開いた際に蓋部３の支持によって筐体２を卓上の設置面に立設して携帯送風装置１を設置することができる。従って、蓋部３は携帯送風装置１を設置面に設置する際に筐体２を支持する支持部を構成する。
【００１７】
蓋部３の内面の一方の側部にはマグネット９が設けられる。筐体２内には蓋部３を閉じた際にマグネット９に対向するホール素子やリードスイッチ等の磁力検知素子（不図示）が設けられる。磁力検知素子によりマグネット９の磁力を検知し、蓋部３の開閉を検知することができる。従って、マグネット９及び磁力検知素子は蓋部３の開閉を検知する開閉検知部を構成する。押しボタンスイッチ等により開閉検知部を構成してもよい。
【００１８】
図３は携帯型送風装置１の左側面断面図を示している。蓋部３を開くと背面パネル２ｆ全体が表れ（露出され）る。この背面パネル２ｆ内面と、携帯型送風装置１をほぼ２分するように設けられた仕切パネル２２の背面側との間の空間は、吸込口６と吹出口７とを連結する空気通路８を形成される。送風ファン１７はハウジング内に羽根車を有した遠心ファンから成り、空気通路８内、特に吸込口６と対向する部分に配される。
【００１９】
送風ファン１７のハウジングの軸方向に開口する吸気口（不図示）は吸込口６に対向して配され、周面に開口する排気口（不図示）が吹出口７の方向に向けて配される。送風ファン１７と背面パネル２ｆの内面との間には軸方向に所定量の隙間２５が設けられる。隙間２５によって吸込口６を形成する開口部２４と吹出口７とが送風ファン１７の外側で連通する。吸込口６には背面パネル２ｆの内面側に固着して塵埃を捕集するフィルター１６が設けられる。
【００２０】
尚、背面パネル２ｆの上部にはネックストラップ５０を取り付ける取付孔を有する取付部２ｈが設けられ、携帯型送風装置１を使用者の首から吊り下げて携行することができる。
【００２１】
蓋部３は閉じた際に背面パネル２ｆとの間に隙間（不図示）が形成される。該隙間は蓋部３の両側端面間にわたって設けられ、蓋部３を閉じた状態で外気が該隙間を介して吸込口６に流入可能になっている。また、蓋部３の内面には吸込口６に対向する部分に凹部３ａが設けられる。凹部３ａによって吸込口６に対向する隙間の大きさが吸込口６の周囲に対向する隙間の大きさよりも大きくなっている。
【００２２】
凹部３ａにより蓋部３の肉厚が薄くなるが、携帯型送風装置１の大型化を抑制できるとともに吸込口６の周囲に対向する部分の肉厚によって蓋部３の強度を確保することができる。尚、蓋部３の凹部３ａの背面側を突出させて肉厚を大きくし、蓋部３の強度を向上させてもよい。この時、蓋部３の突出が吸込口６に対向した一部であるため、携帯型送風装置１の大型化を抑制することができる。
【００２３】
上記仕切パネル２２は、先に説明したように携帯型送風装置１の内部をほぼ２分するようにしており、前面２４のパネルとの上部空間部を隔離室２２ｂとして構成している。この隔離室２２ｂには、イオン発生装置１８が収容される。
【００２４】
上記隔離室２２ｂに配されるイオン発生装置１８は、空気通路８に臨む複数の電極（不図示）を有している。電極には交流波形またはインパルス波形から成る高電圧が印加される。一の電極には正電圧が印加され、電離により発生するイオンが空気中の水分と結合して主としてＨ＋（Ｈ２Ｏ）ｍから成る電荷が正のクラスタイオンが形成される。他の電極には負電圧が印加され、電離により発生するイオンが空気中の水分と結合して主としてＯ２−（Ｈ２Ｏ）ｎから成る電荷が負のクラスタイオンが形成される。ここで、ｍおよびｎは任意の自然数である。
【００２５】
Ｈ＋（Ｈ２Ｏ）ｍ  及び  Ｏ２−（Ｈ２Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ２Ｏ２（過酸化水素）を浮遊菌や臭い成分等の表面上で凝集生成してこれらを破壊する。ここで、ｍ’、ｎ’は任意の自然数である。
【００２６】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・(１)
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ ２・ＯＨ＋Ｏ２＋(ｍ＋ｍ'＋ｎ＋ｎ')Ｈ２Ｏ                    ・・・(２)
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ                      ・・・(３)
上記構成の携帯型送風装置１において、携帯型送風装置１は蓋部３を閉じた状態で携行される。蓋部３を所望の角度に開いて卓上の設置面上に置くと、蓋部３の支持により筐体２が卓上に立設される。電源スイッチ５が入れられると送風ファン１７及びイオン発生装置１８が駆動される。送風ファン１７の駆動によって矢印Ａ１に示すように吸込口６を介して空気通路８内に外気が流入する。この時、外気に含まれる塵埃がフィルター１６により捕集される。
【００２７】
空気通路８に流通した空気は送風ファン１７を通過して矢印Ａ２に示すように空気通路８内を流通し、イオン発生装置１８で発生したイオンが含まれる。そして、矢印Ａ３に示すように吹出口７から上方の使用者の頭部等に向けてプラスイオン及びマイナスイオンを含む空気流が送出される。これにより、屋外や屋内で手軽に涼しさを得ることができるとともに、使用者の周囲の除菌や臭い除去を行うことができる。
【００２８】
携帯型送風装置１を使用者の首から吊り下げて携行した状態や把持した状態で電源スイッチ５が入れられると、蓋部３と背面パネル２ｆとの隙間を介して外気が吸込口６に導かれる。この時、蓋部３に設けた凹部３ａにより吸込口６に対向する部分の流路面積が吸込口６の周囲に対向する部分よりも大きくなる。従って、流量の減少を抑制することができる。
【００２９】
そして、イオンを含む空気流が上面２ｄに配される吹出口７から上方に向けて送出される。これにより、携帯型送風装置１の携行時においても涼しさを得ることができるとともに、使用者の周囲の除菌や臭い除去を行うことができる。
【００３０】
以上のよう構成された本発明の携帯型送風装置１は、携帯時に吹出口７の吹出し状態を特定するためのストラップ取付部２ｈを設けている。本発明の第１の実施形態におけるストラップ取付部２ｈは、携帯型送風装置１の背面２側の背面パネル２ｆ上部に取付孔（隙間）が形成されており、両端部付近にそれぞれ凹部２ｈ１、２ｈ２を形成している。この凹部２ｈ１、２ｈ２に次に説明するネックストラップ５０の特に吊り糸５０ｂを引っ掛かるようにしている。
【００３１】
携帯するためのネックストラップ５０の一構成例を説明しておく。  図６に本発明で使用するネックストラップ５０の形状を示す。ネックストラップは幅約１０ｍｍ、厚さ約１ｍｍのリボン状の本体５０ａと、携帯型送風機に接続するための太さ約０．８ｍｍの撚糸からなる吊り糸５０ｂと、リボン状の本体５０ａの両端部に設置され、端部のほつれを防止すると共に吊り糸５０ｂをリボン状本体５０ａに接続する接続具５０ｃからなる。リボン状本体５０ａは、輪にした状態で３０ｃｍ程度、吊り糸５０ｂは輪にした状態で１０ｃｍ程度の長さを有する。リボン状本体５０ａの部分を首にかけ、吊り糸５０ｂを携帯型送風機に接続する。
【００３２】
このように構成された携帯型送風装置１において、ネックストラップ５０をストラップ取付部２ｈに取り付ける形態について説明することにする。図５（ａ）、（ｂ）にその状態を示す。
【００３３】
まず、図５(ａ)のようにネックストラップ５０（吊り糸５０ｂの部分）をストラップ取付部２ｈと本体２との隙間から輪の部分を通す。次に輪の部分にネックストラップの首にかける側を通す。その時にストラップ取付部２ｈの両端に設けられている凹部２ｈ１，２ｈ２にストラップを引掛けるようにする。このようにすることで、ネックストラップ５０が広がった状態で携帯型送風装置１が首から吊るされるようになる。
【００３４】
このようにしてネックストラップ５０を本発明の携帯型送風装置１に取り付けて首にかけた時の状態を図７に示す。図７に見るように携帯型送風機１のストラップ取付け部２ｈでは、凹部２ｈ１、２ｈ２の構造によりネックストラップが互いに広がった形で固定される。このため携帯型送風機１を首から下げた状態でも、ネックストラップが捻じれにくくなっている。
【００３５】
本発明による携帯型送風機１は通常その正面側を外側に向け、背面側を人の胸に向けるように吊るされることが正しい使用姿勢となっている。そして、ネックストラップ５０が捻じれにくいということは、その姿勢が保たれやすいということを意味する。
【００３６】
以上説明したように、本発明の携帯型送風機１は使用者が首から下げて使用する装置であり、その状態で送風した気流が使用者の顔付近に送出されるように構造が決められている。つまり、使用時に携帯型送風装置１の正面側と背面側が逆になることは、性能を十分に発揮するためには好ましくない。
【００３７】
次に従来の携帯型送風装置にネックストラップ５０を取り付けた状態を図１０および図１１に示す。従来のストラップ取付け部にはストラップの取り付け位置を規制するような凹部はなく、ネックストラップを首にかけた状態では、ストラップ取付け部２ｈ´に対する接触部分が細く絞られており、ストラップが簡単に捻じれてしまう。このため、携帯型送風機の正面側を外側に向け、背面側を人の胸に向けるように姿勢を保つことが難しくなる。つまり、使用時の姿勢としては好ましくない状態になる。
【００３８】
（第２の実施形態）
本発明の第２の実施形態は、先に説明した第１の実施形態では、ストラップ取付部２ｈによる位置規制部として凹部２ｈ１、２ｈ２を設けたのに対し、ストラップ５０の位置規制部を突起に変更したものである。その形状を図９に示す。
【００３９】
図９に示すように、本発明の第２の実施形態に関わる携帯型送風機１´には、ストラップ取付部２Ｈを設け、ストラップ取り付け位置を規制する突起２Ｈ１，２Ｈ２を備える。突起２Ｈ１，２Ｈ２はほぼ円筒形であり側面から板が貫通したような形状となっている。ストラップ５０の吊り糸５０ｂは、突起２Ｈ１，２Ｈ２の外側になるようにストラップ取付け部２Ｈに結び付ける。
【００４０】
本発明の第２の実施形態では、突起２Ｈ１、２Ｈ２の形状は、円筒形としたが、吊り糸５０ｂが係止出来る凸部形状であればどのようなものでも可能である。この第２の実施形態における構成の効果は、第１の実施形態と同じように期待できる。
【産業上の利用可能性】
【００４１】
首からネックストラップで吊り下げて携帯する機器において、吊り下げた時の姿勢を保つことが出来るため、本発明のような送風装置を利用するイオン発生機や芳香器等の個人使用の空気調和機や携帯電話、カメラ等に機器においても操作部などが常に同じ位置、同じ側面に置くことが出来操作性が増す。
【符号の説明】
【００４２】
１、１´  ・・・  携帯型送風機
２、２０  ・・・  本体
２ｈ、２Ｈ  ・・  ストラップ取付け部
２ｈ１，２ｈ２・  凹部（位置規制部）
２Ｈ１，２Ｈ２・  突起／凸部（位置規制部）
３  ・・・・・・  蓋
７  ・・・・・・  吹出口
１７  ・・・・・・  送風機（送風ファン）
１８  ・・・・・・  イオン発生装置
５０  ・・・・・・  ネックストラップ
【図１】
2013036410.tif 000003
【図２】
2013036410.tif 000004
【図３】
2013036410.tif 000005
【図４】
2013036410.tif 000006
【図５】
2013036410.tif 000007
【図６】
2013036410.tif 000008
【図７】
2013036410.tif 000009
【図８】
2013036410.tif 000010
【図９】
2013036410.tif 000011
【図１０】
2013036410.tif 000012
【図１１】
2013036410.tif 000013